【手続補正書】
【提出日】平成19年3月12日(2007.3.12)
【手続補正１】
【補正対象書類名】特許請求の範囲
【補正対象項目名】全文
【補正方法】変更
【補正の内容】
【特許請求の範囲】
【請求項１】
クライアントとサーバの間の複数の通信セッションにわたる状態情報を管理する方法であって、前記クライアントおよびサーバがデータ通信ネットワークに接続され、前記クライアントが第１の記憶領域にストアされた情報からウェブコンテンツを入手し、前記情報が前記サーバにはアクセス不能であり、入手された前記ウェブコンテンツが第２の記憶領域にストアされた追加コンテンツへの参照を含み、前記参照が前記クライアントに固有のクライアント識別子を含む方法において、
前記サーバにおいて、前記クライアントから、前記第２の記憶領域にストアされた前記追加コンテンツを求める前記クライアント識別子を含む要求を受け取るステップと、
クライアント固有のものである前記追加コンテンツを生成するステップと、
受け取った前記クライアント識別子に応答してデータベースにアクセスして前記状態情報を管理するステップと
を含むことを特徴とする方法。
【請求項２】
前記管理するステップでは、受け取った前記クライアント識別子に応答して前記データベースにアクセスし、状態情報の追加または削除、または追加および削除を行うことを特徴とする請求項１に記載の方法。
【請求項３】
前記第１の記憶領域は、前記クライアントにはアクセス可能で前記サーバにはアクセス不能なブラウザキャッシュを含むことを特徴とする請求項１に記載の方法。
【請求項４】
前記第２の記憶領域は、前記サーバにとってアクセス可能な記憶領域を含むことを特徴とする請求項１に記載の方法。
【請求項５】
前記第２の記憶領域にストアされた追加コンテンツへの前記参照は、前記データ通信ネットワーク上のロケーションへのハイパーリンクを含むことを特徴とする請求項１に記載の方法。
【請求項６】
受け取った前記要求に応答して、要求された前記追加コンテンツを前記クライアントに配信するステップをさらに含むことを特徴とする請求項１に記載の方法。
【請求項７】
前記配信するステップでは、前記クライアントが前記追加コンテンツにアクセスするために使用するクライアントリダイレクトを生成することを特徴とする請求項６に記載の方法。
【請求項８】
前記クライアントリダイレクトはハイパーテキスト転送プロトコルのメタリフレッシュを含むことを特徴とする請求項７に記載の方法。
【請求項９】
前記第２の記憶領域にストアされた前記追加コンテンツは、画像ファイルと、音声ファイルと、スクリプトと、アプレットと、カスケードスタイルシートと、拡張可能マークアップ言語データアイランドと、テキストのうちの１つまたは複数を含むことを特徴とする請求項１に記載の方法。
【請求項１０】
前記第２の記憶領域にストアされた前記追加コンテンツは、前記ウェブコンテンツに関連するフレームまたはインラインフレームとして参照されることを特徴とする請求項１に記載の方法。
【請求項１１】
前記第１の記憶領域内の前記ウェブコンテンツは、ハイパーテキストマークアップ言語であるＨＴＭＬドキュメントを含み、前記参照は前記データ通信ネットワーク上のロケーションへのハイパーリンクを含み、前記追加コンテンツは、前記ハイパーリンクを介して前記ＨＴＭＬドキュメント内から前記クライアントによってアクセス可能であることを特徴とする請求項１に記載の方法。
【請求項１２】
前記サーバと前記クライアントは、要求−応答セマンティクスを有するステートレスプロトコルを介して通信することを特徴とする請求項１に記載の方法。
【請求項１３】
前記クライアントから前記ウェブコンテンツを求める要求を受け取るステップと、
該受け取った要求に応答して前記クライアント識別子を生成するステップと、
生成した前記クライアント識別子を前記ウェブコンテンツ内の前記参照に付加するステップであって、前記参照が前記第２の記憶領域にストアされた前記追加コンテンツへのリンクを提供するステップと、
付加された前記クライアント識別子を有する前記参照を備えた前記ウェブコンテンツを前記クライアントに配信するステップであって、前記クライアントが配信された前記ウェブコンテンツを受け取ると、該配信されたウェブコンテンツを前記サーバにはアクセス不能な前記第１の記憶領域にストアするステップと
をさらに含むことを特徴とする請求項１に記載の方法。
【請求項１４】
前記クライアントによる長期記憶のため付加された前記クライアント識別子を有する前記参照を備えた前記ウェブコンテンツを識別するステップをさらに含むことを特徴とする請求項１３に記載の方法。
【請求項１５】
前記サーバにおいて、前記クライアントから、前記サーバにとってアクセス可能な前記ウェブコンテンツを求める要求を受け取るステップと、
該受け取った要求に応答して前記クライアント識別子を生成するステップと、
該受け取った要求に関連する状態情報を、生成した前記クライアント識別子に関連付けて、該状態情報の管理を可能にするステップと、
該状態情報を前記データベースに記憶するステップと、
前記生成した前記クライアント識別子を前記ウェブコンテンツ内の前記参照に追加するステップと、
追加の前記クライアント識別子が付いた前記参照を持った前記ウェブコンテンツを前記クライアントに配信するステップであって、前記クライアントが配信された前記ウェブコンテンツを受け取ると、該配信されたウェブコンテンツを前記第１の記憶領域に情報としてストアするステップと
をさらに含むことを特徴とする請求項１に記載の方法。
【請求項１６】
クライアントとサーバの間の複数の通信セッションにわたる状態情報を管理するための、コンピュータが実行可能なコンポーネントを持った１つまたはそれ以上のコンピュータ読み取り可能な媒体であって、前記クライアントおよびサーバがデータ通信ネットワークに接続され、前記クライアントが第１の記憶領域にストアされた情報からウェブコンテンツを入手し、前記情報が前記サーバにはアクセス不能であり、前記入手されたウェブコンテンツが第２の記憶領域にストアされた追加コンテンツへの参照を含み、前記参照がクライアント識別子を含むコンピュータ読み取り可能な媒体において、
前記サーバにおいて、前記クライアントから、前記第２の記憶領域にストアされた前記追加コンテンツを求める前記クライアント識別子を含む要求を受け取るためのインターフェースコンポーネントと、
クライアント固有のものである前記追加コンテンツを生成するためのプロファイルコンポーネントであって、さらに、受け取った前記クライアント識別子に応答してデータベースにアクセスして前記状態情報を管理するプロファイルコンポーネントと
を含むことを特徴とするコンピュータ読み取り可能な媒体。
【請求項１７】
前記ウェブコンテンツを求める前記クライアントからの別の要求に応答して前記クライアント識別子を生成し、
前記ウェブコンテンツ内の前記参照であって前記第２の記憶領域にストアされた前記追加コンテンツへのリンクを提供している前記参照に、生成した前記クライアント識別子を追加し、および、
追加の前記クライアント識別子が付いた前記参照を持った前記ウェブコンテンツを前記クライアントに配信し、前記クライアントが配信された前記ウェブコンテンツを受け取ると、該配信されたウェブコンテンツを前記サーバにアクセス不可能な前記第１の記憶領域にストアする
ためのカスタム化コンポーネントをさらに含むことを特徴とする請求項１６に記載のコンピュータ読み取り可能な媒体。
【請求項１８】
追加コンテンツへの前記参照は、前記データ通信ネットワーク上の一つの記憶位置へのハイパーリンクを含むことを特徴とする請求項１６に記載のコンピュータ読み取り可能な媒体。
【請求項１９】
前記第１の記憶領域内の前記ウェブコンテンツがハイパーテキストマークアップ言語（ＨＴＭＬ）ドキュメントを含み、前記参照が前記データ通信ネットワーク上の一つの記憶位置へのハイパーリンクを含み、前記追加コンテンツが前記クライアントにより前記ハイパーテキストマークアップ言語（ＨＴＭＬ）ドキュメント内から前記ハイパーリンクを介してアクセス可能であることを特徴とする請求項１６に記載のコンピュータ読み取り可能な媒体。
【請求項２０】
前記サーバと前記クライアントは、要求−応答セマンティクスを有するステートレスプロトコルを介して通信することを特徴とする請求項１６に記載のコンピュータ読み取り可能な媒体。